(57)【特許請求の範囲】
【請求項１】
コンクリート構造物を覆って取り付けられる熱可塑性プラスチック防食シートの継目処理方法であって、隣接する一対の防食シート間の継目部分に位置するコンクリートに、前記継目部分に沿って切欠き溝を設け、この切欠き溝に延出する前記一対の防食シートの各端部に接触するようにして、前記切欠き溝の内部に熱可塑性プラスチックを加工した通電発熱体を延長配設し、前記通電発熱体に通電することにより前記通電発熱体と防食シートの端部とを溶融して一体化し、前記隣接する一対の防食シートを接合一体化することを特徴とする熱可塑性プラスチック防食シートの継目処理方法。
【請求項２】
前記切欠き溝の内部には、熱可塑性プラスチックからなる充填材を充填し、前記通電発熱体と充填材と防食シートの端部とを溶融して一体化することにより、前記隣接する一対の防食シートを接合一体化することを特徴とする請求項１に記載の熱可塑性プラスチック防食シートの継目処理方法。
【発明の詳細な説明】
【０００１】
【発明の属する技術分野】
本発明は、コンクリート構造物を覆って取り付けられる熱可塑性プラスチック防食シートの継目処理方法に関する。
【０００２】
【従来の技術】
例えば、工場廃液処理槽や下水処理場等、コンクリート腐食性成分を有する水を処理するコンクリート構造物の防食方法には、コンクリート表面に防食被覆材としてエポキシ樹脂等の樹脂材料を塗布する方法、樹脂材料で成型した防食シートを防食被覆材としてコンクリート躯体の表面に貼り付ける方法、あるいは、例えば防食シートの裏側に多数の突起を設けておき、この防食シートを型枠内面に取り付けてコンクリートを打設する際に、コンクリートの表面にこれらの突起をアンカーとして埋設させて、当該コンクリート表面に防食シートを固定する方法などがあり、これらによって形成された防食被覆層により、コンクリートと腐食性を有する水との接触を回避してコンクリートが腐食するのを防止している。
【０００３】
このような防食被覆層を形成してコンクリート構造物を覆う防食シートとしては、その優れた防食性や施工のし易さ等から、高密度ポリエチレンシート等の熱可塑性プラスチック防食シートが注目されているが、このような防食シートによれば、一枚の防食シートでコンクリート構造物の表面を一度に覆うことが困難であるため、複数の防食シートを使用することになり、したがって隣接する防食シートを接合することにより連続一体化してコンクリート構造物の表面を覆う必要を生じることになる。
【０００４】
また、特に、コンクリート構造物が、シールド工法による下水道トンネルなど、コンクリートセグメント等のプレキャストコンクリート製品により構築されるものである場合には、各プレキャストコンクリートに取り付けられた熱可塑性プラスチック防食シートを接合一体化することによって、コンクリート構造物を水密に保護する必要を生じることになる。
【０００５】
そして、隣接する熱可塑性プラスチック防食シートを接合一体化するための、突き合わせ部すなわち継目部の処理方法としては、特に、接着剤が効かない高密度ポリエチレンシート等を防食シートとして用いる場合には、同材質の溶接棒を使用した溶接によって防食シートの突き合わせ部を一体化する、押し出し溶接機を使用したいわゆるプラスチック溶接が採用されていた。
【０００６】
【発明が解決しようとする課題】
しかしながら、かかる従来の押し出し溶接機を使用したプラスチック溶接は、熱風で防食シートを暖めながら、溶けた溶接棒を突き合わせ部分の隙間に充填しつつ押圧することにより接合してゆくものであるが、特に接合部の隙間が大きい場合には、繰り返し溶接作業を行う必要を生じて多くの手間を必要とすることになるという課題があった。
【０００７】
また、かかるプラスチック溶接に使用する押し出し溶接機は、その重量が重いものであったため、溶接作業に多くの人手を必要とすることになるという課題があった。
【０００８】
そこで、この発明は、このような従来の課題に着目してなされたもので、プラスチック溶接によることなく、隣接する防食シート間の突き合わせ部を容易かつ確実に接合一体化してゆくことのできる熱可塑性プラスチック防食シートの継目処理方法を提供することを目的とするものである。
【０００９】
【課題を解決するための手段】
本発明は、上記目的を達成するためになされたもので、その要旨は、コンクリート構造物を覆って取り付けられる熱可塑性プラスチック防食シートの継目処理方法であって、隣接する一対の防食シート間の継目部分に位置するコンクリートに、前記継目部分に沿って切欠き溝を設け、この切欠き溝に延出する前記一対の防食シートの各端部に接触するようにして、前記切欠き溝の内部に熱可塑性プラスチックを加工した通電発熱体を延長配設し、前記通電発熱体に通電することにより前記通電発熱体と防食シートの端部とを溶融して一体化し、前記隣接する一対の防食シートを接合一体化することを特徴とする熱可塑性プラスチック防食シートの継目処理方法にある。
【００１２】
ここで、上記記載における熱可塑性プラスチック防食シートとしては、例えば高密度ポリエチレン、ポリプロピレン、塩化ビニール等からなる防食シートを対象とすることができるが、これらのものに限定されることなくその他の種々の熱可塑性プラスチック防食シートとを対象とすることもできる。
【００１３】
また、上記記載における通電発熱体としては、例えば熱可塑性プラスチック材料からなる棒状乃至帯状の線形部材の内部に、電流が流れると発熱するニクロム線やステンレス線等の金属線を組み込んだものや、鉄粉を混入して誘導電流によってプラスチック材料を発熱溶融させるものなどを使用することができるが、具体的には、例えばステンレス鋼線をヘリカル状に内蔵した熱可塑性プラスチックの溶接棒である商品名 Powercore（Evanco Environmental Technologies Ltd.（カナダオンタリオ）製）を使用することができる。
【００１５】
また、前記継目部分に位置するコンクリートに、前記継目部分に沿って切欠き溝を設け、この切欠き溝に延出する前記一対の防食シートの各端部に接触するようにして前記切欠き溝の内部に延長配設した通電発熱体に通電するようにすれば、この切欠き溝の内部において、溶融した熱可塑性プラスチックが一体的に溶着して、隣接する一対の防食シートをさらに確実に接合一体化することができるとともに、切欠き溝の内部に熱可塑性プラスチックからなる充填材を充填しておけば、隣接する一対の防食シートをさらに強固に接合一体化することができる。そしてこれらの切欠き溝を介した防食シートの接合一体化は、特にプレキャストコンクリート部材に取り付けた熱可塑性プラスチック防食シートを接合一体化する際に有効である。
【００１６】
【発明の実施の形態】
以下、本発明の実施形態を、添付図面を参照しつつ詳細に説明する。図１に示すこの発明の第一実施形態に係る継目処理方法は、一例として、現場打ちコンクリート１５によって形成されるコンクリート構造物としての汚水処理槽の内面を覆って取り付けられる、熱可塑性プラスチック防食シートとしての高密度ポリエチレン防食シート１０を、突き合わせ部すなわち継目部分１１において接合一体化すべく採用されたものである。
【００１７】
すなわち、高密度ポリエチレン防食シート１０は、一枚のもので汚水処理槽のコンクリート内面全域を覆うことが困難であるため、複数のシートを用いて防食被覆することになり、したがってこのような複数の防食被覆シートを接合一体化して、汚水処理槽のコンクリート１５の内面を水密に覆ってこれを防護するために、この発明の継目処理方法を採用したものである。
【００１８】
そして、この実施形態の継目処理方法は、図２にも拡大して示すように、隣接する一対の高密度ポリエチレン防食シート１０間の継目部分１１に沿って、防食シート１０と同質の材料である熱可塑性プラスチックを加工した通電発熱体１２を、各防食シート１０の端部に接触するようにして延長配設し、この通電発熱体１２に通電することにより通電発熱体１２とこれの両側の防食シート１０の端部とを溶融して表面から押圧しながら一体化することによって、隣接する一対の防食シート１０を接合一体化するものである。
【００１９】
ここで、高密度ポリエチレン防食シート１０は、接着剤のきかない防食被覆シートであって、その一方の面に多数のアンカー突起１３を備え、予め型枠などに取り付けて配設されることにより、打設されたコンクリート１５の表面にアンカー突起１３を埋設させて、コンクリート１５の表面を覆って強固に固定されるとともに、型枠の脱型後には、隣接する防食シート１０の継目部分１１には、隙間が生じていることになる。
【００２０】
また、通電発熱体１２は、丸棒状の高密度ポリエチレンの内部に電熱線としてのメッシュ状のステンレス鋼線を含み、このステンレス鋼線の発熱によって高密度ポリエチレンを溶融させるもので、コンクリート１５の表面を覆う防食シート１０の継目部分１１の隙間に挟み込まれるようにして取り付けることにより、隣接する各防食シートの端面に接触するようにして延長配設されることになる。
【００２１】
そして、この第一実施形態によれば、継目部分１１に沿って延長配設された通電発熱体１２に通電することにより、この通電発熱体１２、及びこれと接触する各防食シート１０の端部の高密度ポリエチレンが溶融するので、溶融した高密度ポリエチレンが流れ出ないように押さえながらこれらを一体的に溶着して、隣接する一対の防食シート１０を容易に接合一体化することが可能になる。
【００２２】
なお、図３に示すように、高密度ポリエチレン防食シート１０をコンクリート１５の表面に取り付ける際に、接合部分における一方の防食シート１０の端部に重ねしろ１４を設けておき、通電発熱体１２を、隣接する防食シート１０の端部の重ねしろ１４による接触面の間に挟み込みつつ配設することによって、この通電発熱体１２を各防食シート１０の端部に接触するようにして延長配設した後、この通電発熱体１２に通電して、隣接する一対の防食シート１０を接合一体化することもできる。また、通電発熱体１２を予め防食シート１０の端部に接合しておくこともできる。
【００２３】
また、図４はこの発明の第二実施形態に係る継目処理方法を示すもので、この第二実施形態によれば、一例として、プレキャストコンクリート１６を組み立てて形成されたコンクリート構造物としての下水処理施設の内周面を覆って取り付けられる高密度ポリエチレン防食シート１０を、継目部分１１において接合一体化すべく採用されたものである。
【００２４】
すなわち、この第二実施形態によれば、各プレキャストコンクリート１６には、予め高密度ポリエチレン防食シート１０が取り付けけられているとともに、その縁部には切欠き１７が形成され、かつこの切欠き１７には、高密度ポリエチレン防食シート１０の端部が延出して、例えば少なくとも５ｍｍ以上の幅で切欠き１７の内側端面を覆うようにして折り曲げられている。
【００２５】
そして、この第二実施形態によれば、プレキャストコンクリート１６を組み立てると、隣接するプレキャストコンクリート１６の端面同士が当接して、一対の切欠き１７による切欠き溝１８が形成されるとともに、この切欠き溝１８には、隣接する一対の防食シート１０の各端部が、折り曲げられた状態で内部に延出していることになる。
【００２６】
したがって、この第二実施形態によれば、一対の防食シート１０の各端部が延出している切欠き溝１８の内部に、通電発熱体１２を当該折り曲げられた防食シート１０の端部に接触するようにして延長配設した後、この通電発熱体１２に通電すれば、この切欠き溝１８の内部において、溶融した高密度ポリエチレンを流出させることなく一体的に溶着して、隣接する防食シート１０を確実に接合一体化することが可能になる。
【００２７】
なお、各プレキャストコンクリート１６に取り付けた防食シート１０の端部は、切欠き１７の内側に向けて折り曲げておく必要は必しもなく、図５に示すように、各防食シート１０の端部を単に切欠き溝１８の上方に延出した状態とし、これらの各防食シート１０の端部に接触するようにして切欠き溝１８の内部に通電発熱体１２を配設した後通電して、隣接する防食シート１０を接合一体化するようにすることもできるが、この場合には、切欠き溝１８を埋める大きな容積の通電発熱体１２を必要とすることになる。
【００２８】
さらに、図６及び図７はこの発明の第三実施形態にかかる継目処理方法を示すもので、第二実施形態と同様にプレキャストコンクリート１６を組み立てて形成された、一対の防食シート１０の各端部が折り曲げられて端面を覆って長めに延出している一対の切欠き１７による切欠き溝１８の内部に、通電発熱体１２を延長配設するとともに、この通電発熱体１２と重ねるようにして、これの表面側（図６参照）あるいは奥部側（図７参照）に、高密度ポリエチレンからなる充填材１９を例えば叩き込むことによって配設したものである。
【００２９】
そして、この第三実施形態によれば、通電発熱体１２に通電して加熱することにより、通電発熱体１２と充填材１９と防食シート１０の端部の高密度ポリエチレンが切欠き溝１８の内部を充填するように溶融して溶着一体化することにより、隣接する一対の防食シートをさらに強固に接合一体化することが可能になり、これによって表面からの浸食作用に対して大きな抵抗力を発揮することになる。
【００３０】
なお、この発明は、上記各実施形態の実施の態様のものに限定されるものではなく、各請求項に記載された構成の範囲内において、種々に変更して採用することができる。例えば、通電発熱体が設置される切欠きは、箱抜き等を使用して現場打ちコンクリートに対して設けることもでき、また、この発明は、接着剤を介してコンクリート表面に取り付けられた防食シートに対しても用いることができる。
【００３１】
【発明の効果】
以上説明したように、本発明の熱可塑性プラスチック防食シートの継目処理方法によれば、隣接する一対の防食シート間の継目部分に沿って、熱可塑性プラスチックを加工した通電発熱体を各防食シートの端部に接触するようにして延長配設し、前記通電発熱体に通電することにより前記通電発熱体と防食シートの端部とを溶融して一体化するので、プラスチック溶接によることなく、隣接する防食シート間の突き合わせ部を容易かつ確実に接合一体化してゆくことができる。
【図面の簡単な説明】
【図１】本発明の第一実施形態にかかる防食シートの継目処理方法を説明する断面図である。
【図２】図１のＡ部拡大図である。
【図３】本発明の第一実施形態の変形例を示す断面図である。
【図４】本発明の第二実施形態にかかる防食シートの継目処理方法を説明する断面図である。
【図５】本発明の第二実施形態の変形例を示す断面図である。
【図６】本発明の第三実施形態にかかる防食シートの継目処理方法を説明する断面図である。
【図７】本発明の第三実施形態の変形例を示す断面図である。
【符号の説明】
１０  高密度ポリエチレン防食シート（熱可塑性プラスチック防食シート）
１１  継目部分
１２  通電発熱体
１３  アンカー突起
１５  現場打ちコンクリート
１６  プレキャストコンクリート
１７  切欠き
１８  切欠き溝
１９  充填材
【図１】
0003887475.tif 000002
【図２】
0003887475.tif 000003
【図３】
0003887475.tif 000004
【図４】
0003887475.tif 000005
【図５】
0003887475.tif 000006
【図６】
0003887475.tif 000007
【図７】
0003887475.tif 000008